(57)【要約】【課題】パチンコ遊技機の固定部位に固定される端子部を、他の物体との衝突による破損から効果的に保護することができるパチンコ遊技機の端子部保護構造を提供する。【解決手段】この端子部保護構造は、パチンコ遊技機の任意の固定部位に固定される端子部２４を保護する端子部の保護構造である。端子部２４は周縁部を端子保護カバー２５によって囲われて取り付けられる。端子保護カバー２４には、端子部２５の先端より突出する突出部２６が端子部２４に隣接して設けられている。【選択図】図１
2004081338.tif 000002
【特許請求の範囲】
【請求項１】
パチンコ遊技機の任意の固定部位に固定される端子部を保護する端子部の保護構造であって、
該端子部は周縁部を端子保護カバーによって囲われて取り付けられ、該端子保護カバーには、該端子部の先端より突出する突出部が該端子部に隣接して設けられたことを特徴とするパチンコ遊技機の端子部保護構造。
【請求項２】
前記端子部は端子基板上に取り付けられると共に、前記端子保護カバー内に形成された端子収容部の矩形孔から突き出すように配設され、該端子保護カバーの突出部は、該矩形孔から突出する該端子部の上側と下側に隣接して配置されたことを特徴とする請求項１記載のパチンコ遊技機の端子部保護構造。
【請求項３】
前記端子部は中継端子として中継端子基板上に取り付けられ、該中継端子基板と前記端子保護カバーが、パチンコ遊技機の前面枠の内側下部に固定された溢れ球通路ユニットの外面に、固定ねじによって固定されたことを特徴とする請求項２記載のパチンコ遊技機の端子部保護構造。
【発明の詳細な説明】
【０００１】
【発明の属する技術分野】
本発明は、パチンコ遊技機の前面枠内などの任意の固定部位に固定される中継端子などの端子部を、他の物体との衝突による破損から保護する端子部の保護構造に関する。
【０００２】
【従来の技術】
パチンコ遊技機は、周知のように、本体枠の前面に前面枠が開閉可能に装着され、その前面枠の内部に各種の電気部品、回路基板、或は機構部品が収納され、各電気部品及び回路基板には、出力端子、入力端子、中継端子などの端子部を介して多くのリード線が接続されている。
【０００３】
【発明が解決しようとする課題】
ところで、パチンコ遊技機は、比較的奥行きの短い本体枠の前面に、前面枠が開閉可能に取り付けられ、前面枠に装着された電気部品、回路基板、機構部品などは、その本体枠内に位置するものの、背面部に装着された中継端子などの端子部や回路基板ケースなどは、本体枠の背面から後方に突出している。
【０００４】
このため、パチンコ遊技機の製造ラインで、多くの遊技機組立体を移動させる際、パチンコ遊技機が、何らかの理由により傾いたり、倒れたりする場合がある。また、パチンコ遊技機の移動時に、本体枠から後方に突き出した中継端子などの端子部や回路基板ケースが他の部分に当る場合があるが、回路基板はケースにより保護されているため、それほど影響を受けることはないものの、回路基板の入出力端子や中継端子などの端子部が他の部分に当った衝撃で破損しやすいという課題があった。
【０００５】
本発明は、上述の課題を解決するものであり、パチンコ遊技機の固定部位に固定される端子部を、他の物体との衝突による破損から効果的に保護することができるパチンコ遊技機の端子部保護構造を提供することを目的とする。
【０００６】
【課題を解決するための手段】
上記目的を達成するために、本発明のパチンコ遊技機の端子部保護構造は、パチンコ遊技機の任意の固定部位に固定される端子部を保護する端子部の保護構造であって、端子部は周縁部を端子保護カバーによって囲われて取り付けられ、端子保護カバーには、端子部の先端より突出する突出部が端子部に隣接して設けられたことを特徴とする。
【０００７】
ここで、上記端子部は、端子基板上に取り付けられると共に、端子保護カバー内に形成された端子収容部の矩形孔から突き出すように配設され、端子保護カバーの突出部は、矩形孔から突出する端子部の上側と下側に隣接して配置することができる。
【０００８】
また、上記端子部は中継端子として中継端子基板上に取り付けられ、中継端子基板と端子保護カバーは、パチンコ遊技機の前面枠の内側下部に固定された溢れ球通路ユニットの外面に、固定ねじにより固定されるように構成することができる。
【０００９】
【作用】
パチンコ遊技機において、例えば、端子部が中継端子として中継端子基板上に取り付けられ、中継端子基板と端子保護カバーが、前面枠の内側下部に固定された溢れ球通路ユニットの前面（背面）に固定される場合、パチンコ遊技機の製造ラインなどで、遊技機組立体が前面枠の背面側に倒れた際、本体枠の背面側に突き出した中継端子が床に強く当り、或いは遊技機組立体の移動時などに、本体枠から後方に突き出した中継端子などが他の部分に強く当る場合がある。
【００１０】
しかしながら、上記構成の端子部保護構造では、端子部は周縁部を端子保護カバーによって囲われて取り付けられ、端子保護カバーには、端子部の先端より突出する突出部が端子部に隣接して設けられているから、遊技機組立体が前面枠の背面側に倒れた際、或いは他の物体が端子部に衝突するような場合、端子保護カバーの突出部が床に当り或いは他の物体に当り、端子部を保護する。このため、中継端子などの端子部は床や他の物体からの衝撃を受けず、端子部の破損を防止することができる。
【００１１】
【発明の実施の形態】
以下、本発明の一実施形態を図面に基づいて説明する。図１はパチンコ遊技機の本体枠の前面に蝶番を介して開閉可能に装着される前面枠１の背面からの斜視図を示している。なお、この図１では、ガラス枠、遊技盤、及び機構板が外された状態の前面枠１を示している。
【００１２】
前面枠１の左側部には施錠装置２が縦に取り付けられ、前面枠１の右側上部と下部には本体枠に支持するための蝶番３が突設される。また、前面枠１の内側下部には、溢れ球通路ユニット１０が本体通路ユニットの前面側（パチンコ遊技機においては背面側）に固定され、その溢れ球通路ユニット１０の外面に、中継端子用の端子部２４が端子保護カバー２５で保護された状態で取り付けられている。
【００１３】
溢れ球通路ユニット１０は、上皿で溢れた賞球を下皿に送るための溢れ球通路１１と球抜き用の球抜き通路１２を１つのユニットに収納した通路ユニットであり、図１において本体通路ユニット３０の前面に嵌着固定されている。本体通路ユニット３０には、ファール球を収容して下皿に送るファール球通路、前パネルを開いた際に上皿への通路から零れた零れ球を収容して下皿に送る零れ球通路、上皿から球抜きされた球を下皿に送る上皿球抜き通路、及びアウト球を受けて溢れ球通路ユニット１０のアウト球排出口１３に送るアウト球通路が、その内部に形成されている。
【００１４】
図３に示すように、溢れ球通路ユニット１０内には、図示しない賞球払出装置の下部に設けられた払出通路の下端に接続され、その払出通路から溢れた溢れ球を受け入れる溢れ球通路１１と、賞球払出装置の球抜き通路から送られた抜き球を受け入れる球抜き通路１２とが形成されている。球抜き通路１２は溢れ球通路ユニット１０の底部の球抜き排出口１４に接続され、溢れ球通路１１の下端は、本体通路ユニット３０側に設けられた図示しない下皿連通口に接続されている。
【００１５】
また、溢れ球通路ユニット１０は、図２に示すように、通路部材１８と通路部材１９を嵌め合わせ、固定ねじにより締め付け固定して構成され、その内部に上記のような溢れ球通路１１と球抜き通路１２が形成される（図３）。溢れ球通路ユニット１０の底面には、本体通路ユニット３０のアウト球通路に繋がるアウト球排出口１３が設けられ、さらに、球抜き通路１２に連通する球抜き排出口１４が設けられる。
【００１６】
また、その溢れ球通路１１内には、図２に示すように、揺動部材２０が球によって揺動可能に軸支され、満タン検出器（マイクロスイッチ）２２がその近傍に、揺動部材２０の揺動によりスイッチングするように取り付けられる。この満タン検出器２２は、検出器取付体２１によって、溢れ球通路１１に隣接した位置に取り付けられる。また、溢れ球通路ユニット１０の外面（前面）には、中継端子の端子部２４を設けた中継端子基板２３が、端子保護カバー２５を介して固定ねじ２７により締め付け固定される。
【００１７】
中継端子である端子部２４は矩形に形成された中継端子基板２３上に固定される。一方、溢れ球通路ユニット１０の外面には、中継端子基板２３を定位置に装着するための装着部１７が中継端子基板２３を嵌め込み可能に形成される。その装着部１７に端子部２４付きの中継端子基板２３を嵌め込んだ状態で、端子保護カバー２５が端子部２４と中継端子基板２３の上から被せられ、固定ねじ２７で締め付け固定される。
【００１８】
端子保護カバー２５は、図４〜図６に示すように、中央部に矩形の端子収容部２５ａを有し、端子収容部２５ａには、中継端子の端子部２４に対応した形状の複数の矩形孔２５ｂが、端子部の配置パターンに合わせて形成されている。さらに、端子保護カバー２５の上部と下部には、堰堤状の突出部２６が前方（パチンコ遊技機の背面側）に突出して形成される。端子保護カバー２５は、ＡＢＳなどの合成樹脂により突出部２６と共に一体成形される。
【００１９】
この堰堤状の突出部２６は、その端子収容部２５ａの矩形孔２５ｂに内側から挿入される中継端子基板２３上の端子部２４の突出高さより高い突出幅を有して形成され、中継端子基板２３上の端子部２４を上部と下部の両側から鍔のように覆って保護するように、端子保護カバー２５の上部と下部に形成されている。端子保護カバー２５の両側に突出した固定部には、固定ねじ２７用の固定孔２５ｃが穿設されている。
【００２０】
このような構成の端子保護カバー２５を用いて、端子部２４付きの中継端子基板２３を溢れ球通路ユニット１０の外面に装着する場合、先ず、端子部２４付きの中継端子基板２３を、溢れ球通路ユニット１０の外面の装着部１７上の所定部位に載置し、或いは中継端子基板２３を端子保護カバー２５の端子収容部２５ａの内側に挿入した状態で、端子保護カバー２５を溢れ球通路ユニット１０の装着部１７の被せるように装着する。そして、２本の固定ねじ２７を保護カバー２５の固定孔２５ｃに差し込み、その先端を溢れ球通路ユニット１０側にねじ込むように、締め付け固定する。端子部２４には、図示しない回路基板、電気機器などに接続されたコネクタが差し込まれ、接続される。
【００２１】
これにより、端子部２４付きの中継端子基板２３は、端子保護カバー２５によって通路ユニット１０の装着部に押し付けられるように固定され、中継端子の端子部２４は、保護カバー２５の端子収容部２５ａの矩形孔２５ｂから突き出して配設されるが、保護カバー２５の上部と下部の突出部２６は、端子部２４の突き出し長さより長い突出幅を有しているから、端子部２４は端子保護カバー２５の端子収容部２５ａ内で上下を突出部２６で囲まれて配設された状態となる。
【００２２】
前面枠の背面側に突出した溢れ球通路ユニット１０の外面に中継端子の端子部２４が取り付けられる場合、パチンコ遊技機の製造ラインなどで、遊技機組立体が前面枠の背面側に倒れた際、本体枠の背面側に突き出した端子部２４が床に強く当り、或いは遊技機組立体の移動時などに、本体枠から後方に突き出した端子部２４が他の部分に強く当る場合がある。
【００２３】
しかしながら、端子部２４はその周縁部を端子保護カバー２５によって囲われて取り付けられ、端子保護カバー２５には、端子部２４の先端より前方（パチンコ遊技機の背面側）に突出する突出部２６が端子部２４に隣接して設けられているから、遊技機組立体が前面枠の背面側に倒れた際、或いは他の物体が端子部２４に衝突するような場合、端子保護カバー２５の突出部２６が床に当り或いは他の物体に当り、端子部２４を保護する。したがって、中継端子などの端子部２４は床や他の物体からの衝撃を受けず、端子部２４の破損を防止することができる。
【００２４】
なお、上記実施形態では、溢れ球通路ユニット１０の外面に装着される中継端子の端子部を保護する例について説明したが、中継端子の他に、回路基板ケースの外側に露出する端子部などについても、上記のような端子保護カバーを用いて保護することができる。
【００２５】
【発明の効果】
以上説明したように、本発明のパチンコ遊技機の端子部保護構造によれば、端子部は、その周縁部を端子保護カバーによって囲われて取り付けられ、端子保護カバーには、端子部の先端より突出する突出部が端子部に隣接して設けられているから、例えば、パチンコ遊技機の遊技機組立体がその製造ラインで、前面枠の背面側に倒れた際、或いは他の物体が端子部に衝突するような場合、端子保護カバーの突出部が床に当り或いは他の物体に当り、端子部を保護する。このため、中継端子などの端子部は床や他の物体からの衝撃を受けず、端子部の破損を防止することができる。
【図面の簡単な説明】
【図１】本発明の一実施形態を示すパチンコ遊技機のガラス枠、金枠、遊技盤、及び機構板を外した状態の前面枠の背面側からの斜視図である。
【図２】溢れ球通路ユニット１０、端子部２４、及び端子保護カバー２５の分解斜視図である。
【図３】溢れ球通路ユニット外面に装着される端子部２４及び端子保護カバー２５の組付斜視図である。
【図４】端子保護カバー２５の正面図である。
【図５】端子保護カバー２５の平面図である。
【図６】端子保護カバー２５の右側面図である。
【符号の説明】
１−前面枠
１０−溢れ球通路ユニット
２３−中継端子基板
２４−端子部
２５−端子保護カバー
２６−突出部
【図１】
2004081338.tif 000003
【図２】
2004081338.tif 000004
【図３】
2004081338.tif 000005
【図４】
2004081338.tif 000006
【図５】
2004081338.tif 000007
【図６】
2004081338.tif 000008